(57)【要約】【課題】停止中の圧縮機および電動機または膨張機および発電機のうち、暖機されたものを優先して再起動する圧縮空気貯蔵発電装置を得る。【解決手段】圧縮空気貯蔵発電装置１は、電動機１０〜１３と、空気を圧縮する圧縮機２０〜２３と、圧縮空気を蓄える蓄圧タンク４０と、蓄圧タンクから供給される圧縮空気によって駆動される膨張機６０〜６３と、発電機７０〜７３と、電動機１０〜１３の駆動を制御する制御装置８０とを備える。制御装置８０は、給電指令を受信する給電指令受信部８２と、電動機が停止してからの時間が短いものほど高い優先順位を電動機に設定する優先順位設定部８１と、給電指令が示す入力電力の量に基づいて電動機１０〜１３の駆動台数を決定する台数決定部８３と、駆動された電動機１０〜１３の台数が台数決定部８３で決定された駆動台数になるまで優先順位が高い順に電動機１０〜１３を駆動する駆動部８４とを有する。【選択図】図１
2019120208.tif 000002
【特許請求の範囲】
【請求項１】
入力電力により駆動される複数の電動機と、
前記電動機のそれぞれによって駆動され、空気を圧縮する複数の圧縮機と、
前記圧縮機によって圧縮された圧縮空気を蓄える蓄圧タンクと、
前記蓄圧タンクから供給される前記圧縮空気によって駆動される膨張機と、
前記膨張機によって駆動され、供給先へ出力電力を供給する発電機と、
前記電動機の駆動を制御する制御装置と
を備え、
前記制御装置は、
前記入力電力の給電前に前記入力電力の量を示す給電指令を受信する給電指令受信部と、
前記電動機が停止してからの時間が短いものほど高い優先順位を前記電動機に設定する優先順位設定部と、
前記給電指令が示す前記入力電力の量に基づいて前記電動機の駆動台数を決定する台数決定部と、
駆動された前記電動機の台数が前記台数決定部で決定された駆動台数になるまで前記優先順位が高い順に前記電動機を駆動する駆動部と
を有する、圧縮空気貯蔵発電装置。
【請求項２】
入力電力により駆動される複数の電動機と、
前記電動機のそれぞれによって駆動され、空気を圧縮する複数の圧縮機と、
前記圧縮機によって圧縮された圧縮空気を蓄える蓄圧タンクと、
前記蓄圧タンクから供給される前記圧縮空気によって駆動される膨張機と、
前記膨張機によって駆動され、供給先へ出力電力を供給する発電機と、
前記電動機の駆動を制御する制御装置と
を備え、
前記制御装置は、
前記入力電力の給電前に前記入力電力の量を示す給電指令を受信する給電指令受信部と、
予め設定された時間より短い時間しか停止していない前記電動機には、前記電動機が停止してからの経過時間が短いものほど高い第１の優先順位を設定し、予め設定された時間以上の時間停止している前記電動機には、前記第１の優先順位より低い順位であり、かつ前記電動機の総消費電力量が小さいものほど高い第２の優先順位を設定する優先順位設定部と、
前記給電指令が示す前記入力電力の量に基づいて前記電動機の駆動台数を決定する台数決定部と、
駆動された前記電動機の台数が前記台数決定部で決定された駆動台数になるまで前記第１の優先順位と前記第２の優先順位とを含む優先順位が高い順に前記電動機を駆動する駆動部と
を有する、圧縮空気貯蔵発電装置。
【請求項３】
前記優先順位設定部は、前記電動機のいずれかが停止した場合であって、停止している前記電動機の数が２以上である場合に、前記優先順位を再設定する、請求項１または２に記載の圧縮空気貯蔵発電装置。
【請求項４】
前記優先順位設定部は、全ての前記電動機が停止した場合に、前記優先順位を再設定する、請求項１または２に記載の圧縮空気貯蔵発電装置。
【請求項５】
入力電力により駆動される電動機と、
前記電動機によって駆動され、空気を圧縮する圧縮機と、
前記圧縮機によって圧縮された圧縮空気を蓄える蓄圧タンクと、
前記蓄圧タンクから供給される前記圧縮空気によって駆動される複数の膨張機と、
前記膨張機のそれぞれによって駆動され、供給先へ出力電力を供給する複数の発電機と、
前記発電機の駆動を制御する制御装置と
を備え、
前記制御装置は、
前記出力電力の供給前に前記供給先が必要とする前記出力電力の量を示す放電指令を受信する放電指令受信部と、
前記発電機が停止してからの時間が短いものほど高い優先順位を前記発電機に設定する優先順位設定部と、
前記放電指令が示す前記出力電力の量に基づいて前記発電機の駆動台数を決定する台数決定部と、
駆動された前記発電機の台数が前記台数決定部で決定された駆動台数になるまで前記優先順位が高い順に前記発電機を駆動する駆動部と
を有する、圧縮空気貯蔵発電装置。
【請求項６】
入力電力により駆動される電動機と、
前記電動機によって駆動され、空気を圧縮する圧縮機と、
前記圧縮機によって圧縮された圧縮空気を蓄える蓄圧タンクと、
前記蓄圧タンクから供給される前記圧縮空気によって駆動される複数の膨張機と、
前記膨張機のそれぞれによって駆動され、供給先へ出力電力を供給する複数の発電機と、
前記発電機の駆動を制御する制御装置と
を備え、
前記制御装置は、
前記出力電力の供給前に前記供給先が必要とする前記出力電力の量を示す放電指令を受信する放電指令受信部と、
予め設定された時間より短い時間しか停止していない前記発電機には、前記発電機が停止してからの経過時間が短いものほど高い第１の優先順位を設定し、予め設定された時間以上の時間停止している前記発電機には、前記第１の優先順位より低い順位であり、かつ前記発電機の総発電量が小さいものほど高い第２の優先順位を設定する優先順位設定部と、
前記放電指令が示す前記出力電力の量に基づいて前記発電機の駆動台数を決定する台数決定部と、
駆動された前記発電機の台数が前記台数決定部で決定された駆動台数になるまで前記第１の優先順位と前記第２の優先順位とを含む優先順位が高い順に前記発電機を駆動する駆動部と
を有する、圧縮空気貯蔵発電装置。
【請求項７】
前記優先順位設定部は、前記発電機のいずれかが停止した場合であって、停止している前記発電機の数が２以上である場合に、前記優先順位を再設定する、請求項５または６に記載の圧縮空気貯蔵発電装置。
【請求項８】
前記優先順位設定部は、全ての前記発電機が停止した場合に、前記優先順位を再設定する、請求項５または６に記載の圧縮空気貯蔵発電装置。
【請求項９】
前記圧縮機によって圧縮された前記圧縮空気と熱媒との間の熱交換を行う第１熱交換器と、
前記第１熱交換器に流体的に接続され、前記第１熱交換器から供給される前記熱媒を貯蔵する高温熱媒タンクと、
前記高温熱媒タンクに流体的に接続され、前記高温熱媒タンクから供給される前記熱媒と前記膨張機に対して前記蓄圧タンクから供給される前記圧縮空気との間の熱交換を行う第２熱交換器と、
前記第１熱交換器および前記第２熱交換器に流体的に接続され、前記第２熱交換器から供給される前記熱媒を貯蔵する低温熱媒タンクと
をさらに備える請求項１〜８のいずれかに記載の圧縮空気貯蔵発電装置。
【請求項１０】
入力電力により駆動される複数の電動機と、
前記電動機のそれぞれによって駆動され、空気を圧縮する複数の圧縮機と、
前記圧縮機によって圧縮された圧縮空気を蓄える蓄圧タンクと、
前記蓄圧タンクから供給される前記圧縮空気によって駆動される膨張機と、
前記膨張機によって駆動され、供給先へ出力電力を供給する発電機と、
前記電動機の駆動を制御する制御装置と
を備える圧縮空気貯蔵発電装置の制御方法であって、
前記電動機が停止してからの時間が短いものほど高い優先順位を前記電動機に設定し、
前記入力電力の給電前に前記入力電力の量を示す給電指令を受信し、
前記給電指令が示す前記入力電力の量に基づいて前記電動機の駆動台数を決定し、
駆動された前記電動機の台数が決定された駆動台数になるまで、前記優先順位が高い順に、前記電動機を駆動する、制御方法。
【発明の詳細な説明】
【技術分野】
【０００１】
本発明は、圧縮空気貯蔵発電装置に関する。
【背景技術】
【０００２】
風力発電や太陽光発電などの再生可能エネルギーを利用した発電は、気象条件に依存するため、出力が安定しない。このため、圧縮空気貯蔵（ＣＡＥＳ：compressed air energy storage）発電システム等のエネルギー貯蔵システムを使用して出力を平準化する必要がある。
【０００３】
発電効率を向上させるため、圧縮空気貯蔵発電装置（以降、単にＣＡＥＳ発電装置ともいう。）では、エネルギーの熱損失を最小限にすることが好ましい。特許文献１は、複数の高温熱媒タンクを備え、高温の熱媒が低温の熱媒と混合することを防止できる圧縮空気貯蔵発電装置を開示している。
【先行技術文献】
【特許文献】
【０００４】
【特許文献１】特開２０１６−２１１４６４号公報
【発明の概要】
【発明が解決しようとする課題】
【０００５】
ＣＡＥＳ発電装置は、複数の圧縮機および電動機を備える場合がある。また、ＣＡＥＳ発電装置は、複数の膨張機および発電機を備える場合がある。特許文献１は、これらの場合の台数制御による運転効率の向上について言及していない。
【０００６】
本発明は、複数の圧縮機および電動機、または複数の膨張機および発電機を備えるＣＡＥＳ発電装置において、台数制御によって運転効率を向上させることを課題とする。
【課題を解決するための手段】
【０００７】
本発明の一態様は、入力電力により駆動される複数の電動機と、前記電動機のそれぞれによって駆動され、空気を圧縮する複数の圧縮機と、前記圧縮機によって圧縮された圧縮空気を蓄える蓄圧タンクと、前記蓄圧タンクから供給される前記圧縮空気によって駆動される膨張機と、前記膨張機によって駆動され、供給先へ出力電力を供給する発電機と、前記電動機の駆動を制御する制御装置とを備え、前記制御装置は、前記入力電力の給電前に前記入力電力の量を示す給電指令を受信する給電指令受信部と、前記電動機が停止してからの時間が短いものほど高い優先順位を前記電動機に設定する優先順位設定部と、前記給電指令が示す前記入力電力の量に基づいて前記電動機の駆動台数を決定する台数決定部と、駆動された前記電動機の台数が前記台数決定部で決定された駆動台数になるまで前記優先順位が高い順に前記電動機を駆動する駆動部とを有する、圧縮空気貯蔵発電装置を提供する。
【０００８】
本発明のこの態様では、停止した電動機および圧縮機には、停止してからの時間が短いものほど優先順位設定部によって高い優先順位が設定され、駆動部によって優先的に駆動される。すなわち、最も直近まで稼働していた、したがって暖機が完了した状態である電動機および圧縮機が優先的に駆動される。このため、暖機運転を行うことなく、またはわずかな暖機運転を行うのみで、電動機および圧縮機を再起動すること（以下、「ホットスタート」という。）ができるため、暖機に必要なエネルギーを低減し、充電効率を向上できる。空気を圧縮する際には数百度にもなる圧縮熱が発生し、この圧縮熱が発生した状態を定常状態として機器が設計されているので、積算稼働時間によるローテーションより停止してからの時間による駆動台数の決定の方が充電効率の向上に有効である。
【０００９】
本発明の別の態様は、入力電力により駆動される複数の電動機と、前記電動機のそれぞれによって駆動され、空気を圧縮する複数の圧縮機と、前記圧縮機によって圧縮された圧縮空気を蓄える蓄圧タンクと、前記蓄圧タンクから供給される前記圧縮空気によって駆動される膨張機と、前記膨張機によって駆動され、供給先へ出力電力を供給する発電機と、前記電動機の駆動を制御する制御装置とを備え、前記制御装置は、前記入力電力の給電前に前記入力電力の量を示す給電指令を受信する給電指令受信部と、予め設定された時間より短い時間しか停止していない前記電動機には、前記電動機が停止してからの経過時間が短いものほど高い第１の優先順位を設定し、予め設定された時間以上の時間停止している前記電動機には、前記第１の優先順位より低い順位であり、かつ前記電動機の総消費電力量が小さいものほど高い第２の優先順位を設定する優先順位設定部と、前記給電指令が示す前記入力電力の量に基づいて前記電動機の駆動台数を決定する台数決定部と、駆動された前記電動機の台数が前記台数決定部で決定された駆動台数になるまで前記第１の優先順位と前記第２の優先順位とを含む優先順位が高い順に前記電動機を駆動する駆動部とを有する、圧縮空気貯蔵発電装置を提供する。
【００１０】
この構成では、予め設定された時間（以下、「暖機維持時間」という。）より短い時間しか停止していない電動機および圧縮機は、暖機された状態であるものとして、優先順位設定部により設定される第１の優先順位により、最も直近まで稼働していたものから優先的に駆動される。したがって、より有効にホットスタート可能な電動機および圧縮機から駆動されるため、暖機に必要なエネルギーを低減し、充電効率を向上できる。他方で、予め設定された時間（暖機維持時間）以上の時間停止している電動機は、優先順位設定部により設定される第２の優先順位により、その総消費電力量が小さいものから優先的に駆動される。これにより、全ての電動機間および圧縮機間の稼働時間の差を小さいまま維持し、それぞれの総稼働時間を平準化することができる。したがって、ホットスタート可能な電動機および圧縮機を優先的に駆動してエネルギーを低減して充電効率を向上できる。また、各電動機および各圧縮機の運転頻度を平準化することができる。
【００１１】
前記優先順位設定部は、前記電動機のいずれかが停止した場合であって、停止している前記電動機の数が２以上である場合に、前記優先順位を再設定するものであってもよい。
【００１２】
この構成により、停止している電動機の数が２台になった時点で優先順位が再設定される。この時点から暖機維持時間が経過する前に給電指令が受信された場合、この２台のうちより有効にホットスタート可能なものから優先的に駆動されるため、暖機に必要なエネルギーと費用の低減効果を有効に発揮することができる。停止している電動機の数が３以上である場合も同様である。
【００１３】
前記優先順位設定部は、全ての前記電動機が停止した場合に、前記優先順位を再設定するものであってもよい。
【００１４】
この構成により、全ての前記電動機が停止した場合に、再起動される電動機および圧縮機の優先順位が再設定されるため、ホットスタート可能な電動機および圧縮機を優先的に駆動してエネルギーと費用を低減する効果を発揮することができる。
【００１５】
本発明の別の態様は、入力電力により駆動される電動機と、前記電動機によって駆動され、空気を圧縮する圧縮機と、前記圧縮機によって圧縮された圧縮空気を蓄える蓄圧タンクと、前記蓄圧タンクから供給される前記圧縮空気によって駆動される複数の膨張機と、前記膨張機のそれぞれによって駆動され、供給先へ出力電力を供給する複数の発電機と、前記発電機の駆動を制御する制御装置とを備え、前記制御装置は、前記出力電力の供給前に前記供給先が必要とする前記出力電力の量を示す放電指令を受信する放電指令受信部と、前記発電機が停止してからの時間が短いものほど高い優先順位を前記発電機に設定する優先順位設定部と、前記放電指令が示す前記出力電力の量に基づいて前記発電機の駆動台数を決定する台数決定部と、駆動された前記発電機の台数が前記台数決定部で決定された駆動台数になるまで前記優先順位が高い順に前記発電機を駆動する駆動部とを有する、圧縮空気貯蔵発電装置を提供する。
【００１６】
この構成では、停止した発電機および膨張機には、停止してからの時間が短いものほど優先順位設定部によって高い優先順位が設定され、駆動部によって優先的に駆動される。すなわち、最も直近まで稼働していた、したがって暖機が完了した状態である発電機および膨張機が優先的に駆動される。このため、暖機運転を行うことなく、またはわずかな暖機運転を行うのみで、発電機および膨張機を再起動すること（ホットスタート）ができるため、暖機に必要なエネルギーを低減し、発電効率を向上できる。圧縮機に比べて膨張機の場合は、圧縮による熱ではなく膨張による冷気が発生するため、暖機運転に要する時間が長くかかる場合が多く、本態様による暖機運転が始動時の効率向上に特に効果を発揮する。
【００１７】
本発明の別の態様は、入力電力により駆動される電動機と、前記電動機によって駆動され、空気を圧縮する圧縮機と、前記圧縮機によって圧縮された圧縮空気を蓄える蓄圧タンクと、前記蓄圧タンクから供給される前記圧縮空気によって駆動される複数の膨張機と、前記膨張機のそれぞれによって駆動され、供給先へ出力電力を供給する複数の発電機と、前記発電機の駆動を制御する制御装置とを備え、前記制御装置は、前記出力電力の供給前に前記供給先が必要とする前記出力電力の量を示す放電指令を受信する放電指令受信部と、予め設定された時間より短い時間しか停止していない前記発電機には、前記発電機が停止してからの経過時間が短いものほど高い第１の優先順位を設定し、予め設定された時間以上の時間停止している前記発電機には、前記第１の優先順位より低い順位であり、かつ前記発電機の総発電量が小さいものほど高い第２の優先順位を設定する優先順位設定部と、前記放電指令が示す前記出力電力の量に基づいて前記発電機の駆動台数を決定する台数決定部と、駆動された前記発電機の台数が前記台数決定部で決定された駆動台数になるまで前記第１の優先順位と前記第２の優先順位とを含む優先順位が高い順に前記発電機を駆動する駆動部とを有する、圧縮空気貯蔵発電装置を提供する。
【００１８】
この構成では、予め設定された時間（暖機維持時間）より短い時間しか停止していない発電機および膨張機は、暖機された状態であるものとして、優先順位設定部により設定される第１の優先順位により、最も直近まで稼働していたものから優先的に駆動される。したがって、より有効にホットスタート可能な発電機および膨張機から駆動されるため、暖機に必要なエネルギーを低減し、発電効率を向上できる。他方で、予め設定された時間（暖機維持時間）以上の時間停止している発電機は、優先順位設定部により設定される第２の優先順位により、その総発電量が小さいものから優先的に駆動される。これにより、全ての発電機間および膨張機間の稼働時間の差を小さいまま維持し、それぞれの総稼働時間を平準化することができる。したがって、ホットスタート可能な発電機および膨張機を優先的に駆動してエネルギーを低減して発電効率を向上できる。また、各発電機および各膨張機の運転頻度を平準化することができる。
【００１９】
前記優先順位設定部は、前記発電機のいずれかが停止した場合であって、停止している前記発電機の数が２以上である場合に、前記優先順位を再設定するものであってもよい。
【００２０】
この構成により、停止している発電機の数が２台になった時点で優先順位が再設定される。この時点から暖機維持時間が経過する前に放電指令が受信された場合、この２台のうちより有効にホットスタート可能なものから優先的に駆動されるため、暖機に必要なエネルギーと費用の低減効果を有効に発揮することができる。停止している発電機の数が３以上である場合も同様である。
【００２１】
前記優先順位設定部は、全ての前記発電機が停止した場合に、前記優先順位を再設定するものであってもよい。
【００２２】
この構成により、全ての前記発電機が停止した場合に、再起動される発電機および膨張機の優先順位が再設定されるため、ホットスタート可能な発電機および膨張機を優先的に駆動してエネルギーと費用を低減する効果を発揮することができる。
【００２３】
前記圧縮機によって圧縮された前記圧縮空気と熱媒との間の熱交換を行う第１熱交換器と、前記第１熱交換器に流体的に接続され、前記第１熱交換器から供給される前記熱媒を貯蔵する高温熱媒タンクと、前記高温熱媒タンクに流体的に接続され、前記高温熱媒タンクから供給される前記熱媒と前記膨張機に対して前記蓄圧タンクから供給される前記圧縮空気との間の熱交換を行う第２熱交換器と、前記第１熱交換器および前記第２熱交換器に流体的に接続され、前記第２熱交換器から供給される前記熱媒を貯蔵する低温熱媒タンクとをさらに備えてもよい。
【００２４】
この構成によれば、前記第１熱交換器で前記圧縮機で発生する圧縮熱を回収して、前記第２熱交換器で前記膨張機に供給される圧縮空気を予熱することができるので、圧縮空気貯蔵発電装置の効率を向上することができる。前記第１熱交換器や前記第２熱交換器が効果を発生するためにも熱交換器を加温するための暖気運転が必要であり、特に本発明の効果である、暖機に必要なエネルギーを低減して充電効率を向上できるという効果が顕著になる。
【発明の効果】
【００２５】
本発明により、複数の圧縮機および電動機、または複数の膨張機および発電機を備えるＣＡＥＳ発電装置において、台数制御によって運転効率を向上させることができる。
【図面の簡単な説明】
【００２６】
【図１】本発明の実施形態に係るＣＡＥＳ発電装置の概略構成図。
【図２】本発明の実施形態に係るＣＡＥＳ発電装置の電動機および圧縮機の制御方法の具体例を示すフローチャート。
【図３】本発明の実施形態に係るＣＡＥＳ発電装置の電動機および圧縮機の制御方法の他の具体例を示すフローチャート。
【図４】本発明の実施形態に係るＣＡＥＳ発電装置の制御装置による電動機の優先順位の決定方法の具体例を示すフローチャート。
【図５】本発明の実施形態に係るＣＡＥＳ発電装置の制御装置による電動機の優先順位の決定方法の他の具体例を示すフローチャート。
【図６】本発明の実施形態に係るＣＡＥＳ発電装置の膨張機および発電機の制御方法の具体例を示すフローチャート。
【図７】本発明の実施形態に係るＣＡＥＳ発電装置の膨張機および発電機の制御方法の他の具体例を示すフローチャート。
【図８】本発明の実施形態に係るＣＡＥＳ発電装置の制御装置による発電機の優先順位の決定方法の具体例を示すフローチャート。
【図９】本発明の実施形態に係るＣＡＥＳ発電装置の制御装置による発電機の優先順位の決定方法の他の具体例を示すフローチャート。
【発明を実施するための形態】
【００２７】
図１は、本発明の実施形態に係る圧縮空気貯蔵（ＣＡＥＳ）発電装置１の概略構成図である。ＣＡＥＳ発電装置１は、発電設備１００から供給された電力を圧縮空気として蓄え（以下、「充電」という。）、必要に応じてこの圧縮空気を用いて発電を行い、工場などの供給先２００に電力を供給する（以下、「放電」という。）。発電設備１００は、例えば、風力発電や太陽光発電などの再生可能エネルギーを利用した発電設備である。
【００２８】
発電設備１００は、給電指令送信部１０１を備える。給電指令送信部１０１は、ＣＡＥＳ発電装置１に給電指令を送信する。ここで、給電指令は、発電設備１００からＣＡＥＳ発電装置１に入力されてエネルギー貯蔵のために使用される電力（以下、「入力電力」という。）の量を示す指令である。給電指令送信部１０１は、変電所などの電力系統における発電設備１００以外の場所に設置されてもよい。
【００２９】
供給先２００には、放電指令送信部２０１を備える。放電指令送信部２０１は、ＣＡＥＳ発電装置１に放電指令を送信する。ここで、放電指令は、供給先２００がＣＡＥＳ発電装置１に要求する電力（以下、「出力電力」という。）の量を示す指令である。
【００３０】
図１では、ＣＡＥＳ発電装置１は、入力電力により駆動される電動機１０〜１３と、電動機１０〜１３のそれぞれによって駆動され、空気を圧縮する圧縮機２０〜２３とを備える。圧縮機２０〜２３は、それぞれ、外気を取り込む吸込口２０ａ、２１ａ、２２ａおよび２３ａと、圧縮機２０〜２３によって圧縮された圧縮空気を吐出する吐出口２０ｂ、２１ｂ、２２ｂおよび２３ｂとを備える。
【００３１】
圧縮機２０〜２３は、スクリュ式、ターボ式、スクロール式、およびレシプロ式などの圧縮機である。圧縮機２０〜２３は、スクリュ式の圧縮機であることが好ましい。なぜなら、スクリュ式の圧縮機は、一般的に、スクリュロータの回転数を制御することができるため、不規則に変動する入力電力に対して柔軟に応答することができるからである。
【００３２】
ＣＡＥＳ発電装置１は、蓄圧タンク４０をさらに備える。吐出口２０ｂ、２１ｂ、２２ｂおよび２３ｂは、それぞれ、弁３０、３１、３２および３３を介して、蓄圧タンク４０に流体的に接続されている。圧縮機２０〜２３によって圧縮され、吐出口２０ｂ、２１ｂ、２２ｂおよび２３ｂから吐出された圧縮空気は、蓄圧タンク４０に貯蔵される。
【００３３】
ＣＡＥＳ発電装置１は、蓄圧タンク４０から供給される圧縮空気によって駆動される膨張機６０〜６３と、膨張機６０〜６３のそれぞれによって駆動され、供給先２００へ出力電力を供給する発電機７０〜７３とをさらに備える。膨張機６０〜６３は、それぞれ、蓄圧タンク４０に流体的に接続され、蓄圧タンク４０から供給される圧縮空気を取り込む吸込口６０ａ、６１ａ、６２ａおよび６３ａと、膨張機６０〜６３によって膨張された空気を吐出する吐出口６０ｂ、６１ｂ、６２ｂおよび６３ｂとを備える。吸込口６０ａ、６１ａ、６２ａおよび６３ａの上流には、それぞれ、蓄圧タンク４０から供給される圧縮空気の流量を調節する弁５０、５１、５２および５３が設けられている。
【００３４】
膨張機６０〜６３は、スクリュ式、ターボ式、スクロール式、およびレシプロ式などの膨張機であるが、スクリュ式の膨張機であることが好ましい。
【００３５】
ＣＡＥＳ発電装置１は、制御装置８０をさらに備える。制御装置８０は、少なくとも電動機１０〜１３と、弁３０〜３３と、弁５０〜５３と、発電機７０〜７３とに電気的に接続されている。さらに、制御装置８０は、給電指令送信部１０１から送信された給電指令を受信する給電指令受信部８２と、放電指令送信部２０１から送信された放電指令を受信する放電指令受信部８５とを備える。なお、図１では、図を複雑にしないため、制御装置８０と弁３０〜３３および弁５０〜５３とを接続する線を省略している。制御装置８０は、例えば、ＣＰＵ、ＲＡＭ、ＲＯＭなどを含むハードウェアと、それに実装されたソフトウェアからなる。
【００３６】
ＣＡＥＳ発電装置１は、圧縮機２０〜２３によって圧縮された圧縮空気と熱媒との間の熱交換をそれぞれ行う第１熱交換器９０〜９３を備える。また、ＣＡＥＳ発電装置１は、第１熱交換器９０〜９３に流体的に接続され、第１熱交換器９０〜９３から供給される熱媒を貯蔵する高温熱媒タンク９９を備える。さらに、ＣＡＥＳ発電装置１は、高温熱媒タンク９９に流体的に接続され、高温熱媒タンク９９から供給される熱媒と膨張機６０〜６３に対して蓄圧タンク４０から供給される圧縮空気との間の熱交換をそれぞれ行う第２熱交換器９４〜９７を備える。さらにまた、ＣＡＥＳ発電装置１は、第１熱交換器９０〜９３および第２熱交換器９４〜９７に流体的に接続され、第２熱交換器９４〜９７から供給される熱媒を貯蔵する低温熱媒タンク９８を備える。熱媒経路には、熱媒を循環させるポンプ（図示せず）が設置されている。熱媒は、例えば水または油であるが、これらに限定されない。
【００３７】
第１熱交換器９０〜９３と第２熱交換器９４〜９７の数は、図１ではそれぞれ４つであるが、これに限定されない。
【００３８】
以上の説明では、４つの電動機、圧縮機、膨張機および発電機を備えるＣＡＥＳ発電装置１の具体例について記載したが、電動機、圧縮機、膨張機および発電機の数は、これに限定されない。
【００３９】
次に、ＣＡＥＳ発電装置１の圧縮動作について説明する。
【００４０】
ＣＡＥＳ発電装置１では、入力電力により電動機１０〜１３のうち１台以上が駆動され、圧縮機２０〜２３のうち対応するものが駆動され、空気を圧縮する。電動機１０〜１３および圧縮機２０〜２３の駆動台数（圧縮台数）は、入力電力の量を示す給電指令に基づいて、制御装置８０の圧縮台数決定部８３によって決定される。圧縮台数が決定されると、制御装置８０の圧縮駆動部８４は、電動機１０〜１３のうち稼働しているものの数が決定された圧縮台数に等しくなるまで、電動機１０〜１３を起動させまたは停止させる。どの電動機１０〜１３を起動させまたは停止させるかは、制御装置８０の圧縮機優先順位設定部８１によって予め設定された優先順位に基づいて決定される。
【００４１】
電動機１０〜１３および圧縮機２０〜２３の具体的な動作フローについて説明する。図２は、電動機１０〜１３および圧縮機２０〜２３の制御方法の具体例を示すフローチャートである。まず、ステップＳ２０１において、制御装置８０の圧縮機優先順位設定部８１によって、各電動機１０〜１３および圧縮機２０〜２３に優先順位が設定される。圧縮機優先順位設定部８１による優先順位の決定方法については後述する。
【００４２】
次のステップＳ２０２では、制御装置８０は、給電指令受信部８２が、給電指令送信部１０１から送信された給電指令を受信したか否かを判断する。ステップＳ２０２の判断結果がＮｏである場合、ステップＳ２０３に進み、Ｙｅｓである場合、ステップＳ２０４に進む。
【００４３】
ステップＳ２０３では、制御装置８０は、予め設定された暖機維持時間Ｔ以上の時間停止している圧縮機２０〜２３の電動機１０〜１３があるか否かを判断する。暖機維持時間Ｔは、例えば１０分である。ステップＳ２０３の判断結果がＹｅｓである場合、ステップＳ２０１に戻る。ステップＳ２０３の判断結果がＮｏである場合、ステップＳ２０２に戻る。このように、制御装置８０は、原則として、給電指令の受信を待つ。しかし、給電指令の受信がないままであり、かつ暖機維持時間Ｔ以上の時間停止している圧縮機２０〜２３の電動機１０〜１３がある場合、停止している圧縮機２０〜２３はもはや暖機された状態ではないと判断し、優先順位が設定し直される。
【００４４】
給電指令が受信された場合、ステップＳ２０４において、制御装置８０の圧縮台数決定部８３は、給電指令が示す入力電力量に基づいて、必要な圧縮機２０〜２３の稼働台数を決定する。
【００４５】
次のステップＳ２０５では、制御装置８０は、現在稼働している圧縮機２０〜２３の台数が、ステップＳ２０４で決定された必要台数に等しいか否かを判断する。ステップＳ２０５の結果がＹｅｓである場合、圧縮機２０〜２３の台数を変更する（すなわち、停止している圧縮機２０〜２３を起動し、または稼働している圧縮機２０〜２３を停止させる）必要がないため、ステップＳ２０２に戻る。ステップＳ２０５の結果がＮｏである場合、ステップＳ２０６に進む
【００４６】
ステップＳ２０６では、制御装置８０は、現在稼働している圧縮機２０〜２３の台数が、ステップＳ２０４で決定された必要台数より多いか否かを判断する。ステップＳ２０６の結果がＹｅｓである場合、制御装置８０の圧縮駆動部８４は、現在稼働している圧縮機２０〜２３の台数がステップＳ２０４で決定された必要台数に等しくなるまで、電動機１０〜１３を停止させる。具体的には、ステップＳ２０６の結果がＹｅｓである場合、例えば、制御装置８０の圧縮駆動部８４は、現在稼働している圧縮機２０〜２３の電動機１０〜１３のいずれかを、例えば優先順位が最も低いものを停止させる（ステップＳ２０７）。その後、現在稼働している圧縮機２０〜２３の台数が、ステップＳ２０４で決定された必要台数に等しいか否かを再び判断する（ステップＳ２０８）。ステップＳ２０８の結果がＮｏである場合、ステップＳ２０７に戻る。現在稼働している圧縮機２０〜２３の台数がステップＳ２０４で決定された必要台数に等しくなるまで、ステップＳ２０７とステップＳ２０８が繰り返される。ステップＳ２０８の結果がＹｅｓである場合、ステップＳ２１０に進む。
【００４７】
ステップＳ２０６の結果がＮｏである場合、制御装置８０の圧縮駆動部８４は、現在稼働している圧縮機２０〜２３の台数がステップＳ２０４で決定された必要台数に等しくなるまで、現在停止している電動機１０〜１３を起動する。具体的には、ステップＳ２０６の結果がＮｏである場合、制御装置８０の圧縮駆動部８４は、現在停止している電動機１０〜１３のうち、優先順位が最も高いものを起動する（ステップＳ２０９）。その後、ステップＳ２０５に戻る。
【００４８】
ステップＳ２１０では、制御装置８０は、現在停止している圧縮機２０〜２３の台数が２台以上であるか否かを判断する。ステップＳ２１０の結果がＹｅｓである場合、すなわち、電動機１０〜１３のいずれかが停止した場合（ステップＳ２０７）であって、停止している電動機の数が２以上であるときは、ステップＳ２０１に戻り、優先順位が再設定される。ステップＳ２１０の結果がＮｏである場合、ステップＳ２０２に戻り、優先順位の再設定は行われない。
【００４９】
なお、図２、図３、図６および図７は無限ループとなる部分を含んでいるが、制御装置の動作を説明するためにフローチャートの要部を説明したものであって、実際の制御プログラムでは優先順位を決定後に他の制御プログラムに移るようになっている。
【００５０】
図３は、電動機１０〜１３および圧縮機２０〜２３の制御方法の他の具体例を示すフローチャートである。ステップＳ２１０の代わりに、ステップＳ３１０は、全ての圧縮機２０〜２３が停止しているか否かを判断するものであってもよい。ステップＳ３１０の結果がＹｅｓである場合、すなわち、全ての電動機１０〜１３が停止した場合、ステップＳ３０１に戻り、優先順位が再設定される。ステップＳ３１０の結果がＮｏである場合、ステップＳ３０２に戻り、優先順位の再設定は行われない。
【００５１】
次に、制御装置８０の圧縮機優先順位設定部８１による、電動機１０〜１３の優先順位の決定方法について説明する。
【００５２】
電動機１０〜１３には、それぞれ、１から４までの優先順位が設定される。一般的に、電動機がＮ台ある場合、各電動機には１からＮまでの優先順位が設定される。優先順位は、１が最も高く、数が大きくなるほど低い。複数の電動機に同じ順位が設定されることはないものとする。
【００５３】
図４は、制御装置８０の圧縮機優先順位設定部８１による電動機１０〜１３の優先順位の決定方法（ステップＳ２０１、Ｓ３０１）の具体例を示すフローチャートである。
【００５４】
まず、制御装置８０の圧縮機優先順位設定部８１は、電動機１０〜１３を、稼働中グループ、暖機済グループまたは非暖機済グループのいずれかに仕分ける（ステップＳ４０１〜Ｓ４０８）。電動機１０〜１３のうち、現在稼働しているものは、稼働中グループに仕分けられる（ステップＳ４０２、Ｓ４０４）。他の電動機１０〜１３のうち、暖機維持時間Ｔより短い時間しか停止していないものは、暖機された状態であるものとして、暖機済グループに仕分けられる（ステップＳ４０３、Ｓ４０５）。その他の電動機１０〜１３、すなわち、暖機維持時間Ｔ以上の時間停止している電動機１０〜１３は、非暖機済グループに仕分けられる（ステップＳ４０６）。
【００５５】
次に、電動機１０〜１３のうち稼働中グループに仕分けられたものに優先順位を設定する（ステップＳ４０９）。ただし、稼働中グループの電動機に設定される優先順位は、以前の優先順位と同一である。すなわち、稼働中グループの電動機の優先順位は、保持される。
【００５６】
次に、電動機１０〜１３のうち暖機済グループに仕分けられたものに、停止してからの経過時間が短いものほど高い第１の優先順位を設定する（ステップＳ４１０）。ただし、第１の優先順位からは、稼働中グループの電動機に設定されている優先順位は除かれる。
【００５７】
次に、電動機１０〜１３のうち非暖機済グループに仕分けられたものに、電動機の総消費電力量が小さいものほど高い第２の優先順位を設定する（ステップＳ４１１）。ただし、第２の優先順位は、第１の優先順位より低い順位である。また、第２の優先順位からは、稼働中グループの電動機に設定されている優先順位は除かれる。このように、ステップＳ４１１では、電動機１０〜１３には、第１の優先順位より低い順位であり、かつ電動機の総消費電力量が小さいものほど高い第２の優先順位が設定される。
【００５８】
一般的に、圧縮機２０〜２３の起動時に、低温のため潤滑油が高粘度化している場合、潤滑油を潤滑させるポンプを動作させるために高い動力が必要になる。さらに、電動機１０〜１３および圧縮機２０〜２３の部品が低温である場合、各部品が滑らかに動作できないため、電動機１０〜１３および圧縮機２０〜２３が本来の性能を発揮できない。そこで、潤滑油を加熱して粘度を低下させ、流動性を向上させるために、および電動機１０〜１３と圧縮機２０〜２３に本来の性能を発揮させるために、電動機１０〜１３と圧縮機２０〜２３の暖機運転を行う必要がある。暖機運転を行う場合、加熱のために大量の電力が必要になる。また、短時間で暖機を完了させようとすると、大容量のまたは多数の潤滑油ヒータが必要になるため、費用が増大する。
【００５９】
本発明のＣＡＥＳ発電装置１では、暖機維持時間Ｔより短い時間しか停止していない電動機１０〜１３および圧縮機２０〜２３は、最も直近まで稼働していたものから優先的に駆動される。したがって、より有効にホットスタート可能な電動機１０〜１３および圧縮機２０〜２３から駆動されるため、暖機に必要なエネルギーと費用を低減することができる。他方で、暖機維持時間Ｔ以上の時間停止している電動機は、その総消費電力量が小さいものから優先的に駆動される。これにより、全ての電動機１０〜１３間および圧縮機２０〜２３間の稼働時間の差を小さいまま維持し、それぞれの総稼働時間を平準化することができる。したがって、ホットスタート可能な電動機および圧縮機を優先的に駆動してエネルギーと費用を低減しつつ、各電動機１０〜１３および各圧縮機２０〜２３の運転頻度
を平準化することができる。運転頻度を平準化することにより、各電動機１０〜１３および各圧縮機２０〜２３の寿命を平準化できる。
【００６０】
図５は、制御装置８０の圧縮機優先順位設定部８１による電動機１０〜１３の優先順位の決定方法（ステップＳ２０１、Ｓ３０１）の他の具体例を示すフローチャートである。この具体例では、第１熱交換器９０〜９３、圧縮機２０〜２３、またはこれらの配管などに取り付けられた温度センサ（図示せず）が検知した温度によって、電動機１０〜１３が暖機済みか否かを判断する。具体的には、ステップＳ４０３の代わりに、ステップＳ５０３は、温度センサによって検知された温度が閾値以上か否かを判断し、Ｙｅｓの場合はステップＳ５０５に、Ｎｏの場合はステップＳ５０６に進む。暖機維持時間Ｔの代わりに温度によって暖機済みか否かを判断することにより、より確実にホットスタート可能な電動機１０〜１３および圧縮機２０〜２３を優先的に起動することができる。
【００６１】
次に、ＣＡＥＳ発電装置１の膨張（発電）動作について説明する。
【００６２】
ＣＡＥＳ発電装置１では、蓄圧タンク４０から供給される圧縮空気により、膨張機６０〜６３のうち１台以上が駆動され、発電機７０〜７３のうち対応するものが駆動され、発電する。膨張機６０〜６３および発電機７０〜７３の駆動台数（発電台数）は、出力電力の量を示す放電指令に基づいて、制御装置８０の発電台数決定部８６によって決定される。発電台数が決定されると、制御装置８０の発電駆動部８７は、発電機７０〜７３のうち稼働しているものの数が決定された発電台数に等しくなるまで、膨張機６０〜６３および発電機７０〜７３を起動させまたは停止させる。どの膨張機６０〜６３および発電機７０〜７３を起動させまたは停止させるかは、制御装置８０の発電機優先順位設定部８８によって予め設定された優先順位に基づいて決定される。
【００６３】
膨張機６０〜６３および発電機７０〜７３の具体的な動作フローについて説明する。図６は、膨張機６０〜６３および発電機７０〜７３の制御方法の具体例を示すフローチャートである。まず、ステップＳ６０１において、制御装置８０の発電機優先順位設定部８８によって、各膨張機６０〜６３および発電機７０〜７３に優先順位が設定される。発電機優先順位設定部８８による優先順位の決定方法については後述する。
【００６４】
次のステップＳ６０２では、制御装置８０は、放電指令受信部８５が、放電指令送信部２０１から送信された放電指令を受信したか否かを判断する。ステップＳ６０２の判断結果がＮｏである場合、ステップＳ６０３に進み、Ｙｅｓである場合、ステップＳ６０４に進む。
【００６５】
ステップＳ６０３では、制御装置８０は、予め設定された暖機維持時間Ｕ以上の時間停止している発電機７０〜７３があるか否かを判断する。暖機維持時間Ｕは、例えば１０分である。ステップＳ６０３の判断結果がＹｅｓである場合、ステップＳ６０１に戻り、Ｎｏである場合、ステップＳ６０２に戻る。このように、制御装置８０は、原則として、放電指令の受信を待つ。しかし、放電指令の受信がないままであり、かつ暖機維持時間Ｕ以上の時間停止している発電機７０〜７３がある場合、停止している発電機７０〜７３はもはや暖機された状態ではないと判断し、優先順位が設定し直される。
【００６６】
放電指令が受信された場合、ステップＳ６０４において、制御装置８０の発電台数決定部８６は、放電指令が示す出力電力量に基づいて、必要な発電機７０〜７３の稼働台数を決定する。
【００６７】
次のステップＳ６０５では、制御装置８０は、現在稼働している発電機７０〜７３の台数が、ステップＳ６０４で決定された必要台数に等しいか否かを判断する。ステップＳ６０５の結果がＹｅｓである場合、発電機７０〜７３の台数を変更する（すなわち、停止している発電機７０〜７３を起動し、または稼働している発電機７０〜７３を停止させる）必要がないため、ステップＳ６０２に戻る。ステップＳ６０５の結果がＮｏである場合、ステップＳ６０６に進む
【００６８】
ステップＳ６０６では、制御装置８０は、現在稼働している発電機７０〜７３の台数が、ステップＳ６０４で決定された必要台数より多いか否かを判断する。ステップＳ６０６の結果がＹｅｓである場合、制御装置８０の発電駆動部８７は、現在稼働している発電機７０〜７３の台数がステップＳ６０４で決定された必要台数に等しくなるまで、膨張機６０〜６３および発電機７０〜７３を停止させる。具体的には、ステップＳ６０６の結果がＹｅｓである場合、例えば、制御装置８０の発電駆動部８７は、現在稼働している発電機７０〜７３のうちいずれかを、例えば優先順位が最も低いものを停止させる（ステップＳ６０７）。その後、現在稼働している発電機７０〜７３の台数が、ステップＳ６０４で決定された必要台数に等しいか否かを再び判断する（ステップＳ６０８）。ステップＳ６０８の結果がＮｏである場合、ステップＳ６０７に戻る。現在稼働している発電機７０〜７３の台数がステップＳ６０４で決定された必要台数に等しくなるまで、ステップＳ６０７とステップＳ６０８が繰り返される。ステップＳ６０８の結果がＹｅｓである場合、ステップＳ６１０に進む。
【００６９】
ステップＳ６０６の結果がＮｏである場合、制御装置８０の発電駆動部８７は、現在稼働している発電機７０〜７３の台数がステップＳ６０４で決定された必要台数に等しくなるまで、現在停止している発電機７０〜７３を起動する。具体的には、ステップＳ６０６の結果がＮｏである場合、制御装置８０の発電駆動部８７は、現在停止している発電機７０〜７３のうち、優先順位が最も高いものを起動する（ステップＳ６０９）。その後、ステップＳ６０５に戻る。
【００７０】
ステップＳ６１０では、制御装置８０は、現在停止している発電機７０〜７３の台数が２台以上であるか否かを判断する。ステップＳ６１０の結果がＹｅｓである場合、すなわち、発電機７０〜７３のいずれかが停止した場合（ステップＳ６０７）であって、停止している発電機の数が２以上であるときは、ステップＳ６０１に戻り、優先順位が再設定される。ステップＳ６１０の結果がＮｏである場合、ステップＳ６０２に戻り、優先順位の再設定は行われない。
【００７１】
図７は、膨張機６０〜６３および発電機７０〜７３の制御方法の他の具体例を示すフローチャートである。ステップＳ６１０の代わりに、ステップＳ７１０は、全ての発電機７０〜７３が停止しているか否かを判断するものであってもよい。ステップＳ７１０の結果がＹｅｓである場合、すなわち、全ての発電機７０〜７３が停止した場合、ステップＳ７０１に戻り、優先順位が再設定される。ステップＳ７１０の結果がＮｏである場合、ステップＳ７０２に戻り、優先順位の再設定は行われない。
【００７２】
次に、制御装置８０の発電機優先順位設定部８８による、発電機７０〜７３の優先順位の決定方法について説明する。
【００７３】
発電機７０〜７３には、それぞれ、１から４までの優先順位が設定される。一般的に、発電機がＭ台ある場合、各発電機には１からＭまでの優先順位が設定される。複数の発電機に同じ順位が設定されることはないものとする。
【００７４】
図８は、制御装置８０の発電機優先順位設定部８８による発電機７０〜７３の優先順位の決定方法（ステップＳ６０１、Ｓ７０１）の具体例を示すフローチャートである。
【００７５】
まず、制御装置８０の発電機優先順位設定部８８は、発電機７０〜７３を、稼働中グループ、暖機済グループまたは非暖機済グループのいずれかに仕分ける（ステップＳ８０１〜Ｓ８０８）。発電機７０〜７３のうち、現在稼働しているものは、稼働中グループに仕分けられる（ステップＳ８０２、Ｓ８０４）。他の発電機７０〜７３のうち、暖機維持時間Ｕより短い時間しか停止していないものは、暖機された状態であるものとして、暖機済グループに仕分けられる（ステップＳ８０３、Ｓ８０５）。その他の発電機７０〜７３、すなわち、暖機維持時間Ｕ以上の時間停止している発電機７０〜７３は、非暖機済グループに仕分けられる（ステップＳ８０６）。
【００７６】
次に、発電機７０〜７３のうち稼働中グループに仕分けられたものに優先順位を設定する（ステップＳ８０９）。ただし、稼働中グループの発電機に設定される優先順位は、以前の優先順位と同一である。すなわち、稼働中グループの発電機の優先順位は、保持される。
【００７７】
次に、発電機７０〜７３のうち暖機済グループに仕分けられたものに、停止してからの経過時間が短いものほど高い第１の優先順位を設定する（ステップＳ８１０）。ただし、第１の優先順位からは、稼働中グループの発電機に設定されている優先順位は除かれる。
【００７８】
次に、発電機７０〜７３のうち非暖機済グループに仕分けられたものに、発電機の総発電量が小さいものほど高い第２の優先順位を設定する（ステップＳ８１１）。ただし、第２の優先順位は、第１の優先順位より低い順位である。また、第２の優先順位からは、稼働中グループの発電機に設定されている優先順位は除かれる。このように、ステップＳ８１１では、発電機７０〜７３には、第１の優先順位より低い順位であり、かつ発電機の総発電量が小さいものほど高い第２の優先順位が設定される。
【００７９】
これにより、暖機維持時間Ｕより短い時間しか停止していない膨張機６０〜６３および発電機７０〜７３は、最も直近まで稼働していたものから優先的に駆動される。したがって、より有効にホットスタート可能な膨張機６０〜６３および発電機７０〜７３から駆動されるため、暖機に必要なエネルギーと費用を低減することができる。他方で、暖機維持時間Ｕ以上の時間停止している発電機は、その総発電量が小さいものから優先的に駆動される。これにより、全ての発電機７０〜７３間および膨張機６０〜６３間の稼働時間の差を小さいまま維持し、それぞれの総稼働時間を平準化することができる。したがって、ホットスタート可能な発電機および圧縮機を優先的に駆動してエネルギーと費用を低減しつつ、各発電機７０〜７３および各膨張機６０〜６３の運転頻度を平準化することができる。運転頻度を平準化することにより、各発電機７０〜７３および各膨張機６０〜６３の寿命を平準化できる。
【００８０】
図９は、制御装置８０の発電機優先順位設定部８８による発電機７０〜７３の優先順位の決定方法（ステップＳ６０１、Ｓ７０１）の他の具体例を示すフローチャートである。この具体例では、第２熱交換器９４〜９７、膨張機６０〜６３、またはこれらの配管などに取り付けられた温度センサ（図示せず）が検知した温度によって、発電機７０〜７３が暖機済みか否かを判断する。具体的には、ステップＳ８０３の代わりに、ステップＳ９０３は、温度センサによって検知された温度が閾値以上か否かを判断し、Ｙｅｓの場合はステップＳ９０５に、Ｎｏの場合はステップＳ９０６に進む。暖機維持時間Ｕの代わりに温度によって暖機済みか否かを判断することにより、より確実にホットスタート可能な膨張機６０〜６３および発電機７０〜７３を優先的に起動することができる。
【００８１】
上述した実施形態においては、発電設備１００が再生可能エネルギーを利用した変動するものとしているが、必ずしも変動する電源でなくてもよく、通常の安定した商用系統電源を入力として、供給先２００の方の変動に対応するものであってもよい。この場合、供給先２００のピークカットをすることで商用系統電源の契約電力を下げることができる。
【００８２】
また、上述した実施形態においては、圧縮機２０〜２３と電動機１０〜１３、膨張機６０〜６３と発電機７０〜７３を物理的に別のものとした例を説明した。しかしながら、特に本実施形態の圧縮機２０〜２３と膨張機６０〜６３は同じものであるため、圧縮機と膨張機を兼用させ、さらに電動機と発電機を兼用させてもよい。この場合、電動機と発電機とが可逆である電動発電機によって駆動する、圧縮機を用いることができる。すなわち、充電（蓄圧）時には電動発電機で駆動される圧縮機として使用し、発電時には圧縮機を逆回転することで電動発電機を駆動する膨張機として使用するようにしたものでも本発明を適用することができる。
【符号の説明】
【００８３】
１  圧縮空気貯蔵（ＣＡＥＳ）発電装置
１０〜１３  電動機
２０〜２３  圧縮機
３０〜３３  弁
４０  蓄圧タンク
５０〜５３  弁
６０〜６３  膨張機
７０〜７３  発電機
８０  制御装置
８１  圧縮機優先順位設定部
８２  給電指令受信部
８３  圧縮台数決定部
８４  圧縮駆動部
８５  放電指令受信部
８６  発電台数決定部
８７  発電駆動部
８８  発電機優先順位設定部
９０〜９３  第１熱交換器
９４〜９７  第２熱交換器
９８  低温熱媒タンク
９９  高温熱媒タンク
１００  発電設備
１０１  給電指令送信部
２００  供給先
２０１  放電指令送信部
【図１】
2019120208.tif 000003
【図２】
2019120208.tif 000004
【図３】
2019120208.tif 000005
【図４】
2019120208.tif 000006
【図５】
2019120208.tif 000007
【図６】
2019120208.tif 000008
【図７】
2019120208.tif 000009
【図８】
2019120208.tif 000010
【図９】
2019120208.tif 000011